(57)【要約】【課題】  原子力発電所、ＲＩ施設等の空調設備において、汚染した空気を排気する前処理装置としてのプレフィルタを使用した後、これを可燃物として全て焼却して廃棄することができるようにし、使用後に除染作業の必要のないプレフィルタを提供する。【解決手段】  一枚の可燃性板体を材料とし、該材料からプレフィルタ・ハウジングの展開形状で型抜き加工してプレフィルタ・ハウジング展開体を作成し、しかるのちプレフィルタ・ハウジング展開体でフィルタエレメントを包み込み一体化して構成する。【選択図】      図１
2006214851.tif 000002
【特許請求の範囲】
【請求項１】
一枚の可燃性板体を材料とし、該材料からプレフィルタ・ハウジングの展開形状で型抜き加工してプレフィルタ・ハウジング展開体を作成し、
前記プレフィルタ・ハウジング展開体でプレフィルタエレメントを包み込み一体化したことを特徴とする原子力発電所・ＲＩ施設の空調設備用可燃性プレフィルタ。
【請求項２】
前記可燃性板材が段ボール、プレス紙又はポリエステル製であって、使用後可燃物として焼却処理可能であることを特徴とする請求項１記載の原子力発電所・ＲＩ施設の空調設備用可燃性プレフィルタ。
【請求項３】
前記プレフィルタ・ハウジング展開体は、四周にプレフィルタエレメントの周辺を保持するフランジを備えた角型の中心開口を有する中央本体部と、前記フランジの外側四周にあって、プレフィルタエレメントの厚みより小さい幅を有するプレフィルタ・ハウジング側壁部と、さらに該側壁部の外側に設けた４個のプレフィルタ補強リブとからなり、
前記４個のプレフィルタ補強リブは、それぞれフィルタ排気側の開口を形成する略半円形切欠部を備え、前記フランジと前記側壁部との境界線及び前記側壁部と前記プレフィルタ補強リブとの境界線でそれぞれ折曲げ可能にした請求項１記載の原子力発電所・ＲＩ施設の空調設備用可燃性プレフィルタ。
【請求項４】
前記プレフィルタの排気側円形開口に可燃性材料製の紙筒を取付け、該紙筒を介しダクトホースに接続可能にした請求項１記載の原子力発電所・ＲＩ施設の空調設備における可燃性プレフィルタ。
【発明の詳細な説明】
【技術分野】
【０００１】
原子力発電所、ＲＩ施設の空調設備においては、汚染した空気を排気する前処理として局所排風機やブースターファンを用いて換気を行っている。この場合、粗ゴミ除去用としてプレフィルタを使用している。本発明は可燃性で焼却処理可能なプレフィルタに関するものである。
【背景技術】
【０００２】
従来のプレフィルタには、次のような問題があった。
（１）プレフィルタハウジングは、給気側・排気側とも汚染したダストに晒されるので、汚染しやすく、しかもネット構造で複雑なため、除染するのが困難であった。
（２）プレフィルタの交換作業において、汚染したダストを取り込んでいるフィルタ・エレメントを外す作業時に、ダストを拡散させ、作業環境を悪化させていた。
（３）フィルタ・エレメントを収容するプレフィルタ・ハウジングは、ブリキ板等でできているので、これが管理区域の保管場所を多く占有するという問題があった。
（４）又ダクトホースの口径に合わせた専用のハウジングが必要であった。
【発明の開示】
【発明が解決しようとする課題】
【０００３】
原子力発電所、ＲＩ施設等の空調設備において、汚染した空気を排気する前処理装置としてのプレフィルタを使用した後、これを可燃物として全て焼却して廃棄することができるようにし、使用後に除染作業の必要のないプレフィルタを提供することを課題とする。
【課題を解決するための手段】
【０００４】
本発明の原子力発電所・ＲＩ施設の空調設備用可燃性プレフィルタは次の構成よりなっている。
一枚の可燃性板体を材料とし、該材料からプレフィルタ・ハウジングの展開形状で型抜き加工してプレフィルタ・ハウジング展開体を作成し、しかるのちプレフィルタ・ハウジング展開体でフィルタエレメントを包み込み一体化して構成する。
そして、前記可燃性板体は段ボール、プレス紙又はポリエステル製であって、使用後可燃物として焼却処理可能である。
また、プレフィルタ・ハウジング展開体は、四周にフィルタエレメントの周辺を保持するフランジを備えた角型の中心開口を有する中央本体部と、フランジの外側四周にあって、フィルタエレメントの厚みより小さい幅を有するプレフィルタ・ハウジング側壁部と、さらに該側壁部の外側四周に設けた４個のプレフィルタ補強リブとからなり、４個のプレフィルタ補強リブは、それぞれプレフィルタ排気側の開口を形成する略半円形切欠部を備え、前記フランジと前記側壁部との境界線及び前記側壁部と前記プレフィルタ補強リブとの境界線でそれぞれ折曲げ可能になっている。
さらにまた、前記プレフィルタ・ハウジングの排気側円形開口に可燃性材料製の紙筒を取付け、この紙筒を介しダクトホースに接続可能にした。
【発明の効果】
【０００５】
フィルタエレメントを収容するプレフィルタ・ハウジングを段ボール・プレス紙・ポリエステル等の可燃性材料で製作するので、使用後可燃物として全て焼却することができる。
【０００６】
従来、ろ過後プレフィルタ・ハウジングは汚染してしまったが、本発明のプレフィルタ・ハウジングはこれを除染せずに焼却して廃棄処分するので後処理が楽である。
【０００７】
プレフィルタ・ハウジングを段ボール等で製作するが、これを一枚の材料の型抜き加工で製作できるので、コスト削減が可能となった。
【０００８】
プレフィルタをダクトホースに接続するのに、焼却可能なダクト接続用紙筒を使用するので、ダクトホースの口径に容易に合わせることができ、これまた経済的である。
【０００９】
プレフィルタ交換時に、プレフィルタ・ハウジングごと袋詰めして廃棄できるので、プレフィルタにて捕獲したダストを拡散させること無く清潔・安全な環境で交換することができる。
【００１０】
汚染したプレフィルタ・ハウジングを除染する必要がないので、その分要員を削減することができる。
【００１１】
常に新品のプレフィルタ・ハウジングを使用できるので、管理区域の保管場所が必要無くなる。
【００１２】
プレフィルタ・ハウジングは、その組立前は、板状であるので保管場所を占有せず、必要なとき必要な数だけ搬入し、現場で組立てて使用できる利点がある。
【発明を実施するための最良の形態】
【００１３】
図１は本発明にかかわる可燃性フィルタ・ハウジング展開体の平面図である。本発明のプレフィルタ・ハウジングは図１のプレフィルタ・ハウジング展開体の状態で在庫し、使用時にこれを図２で説明する順序で折り込み、プレフィルタ・エレメントを中に包み込み、これにダクトホースへの接続用紙筒を接着すれば、ダクトホースに簡単に取り付けることができる。
【００１４】
図１で１０は本発明にかかわるプレフィルタ・ハウジング展開体で、このプレフィルタ・ハウジング展開体１０は１枚のダンボール、プレス紙またはポリエステル等の板体を材料とし、これを展開形状で型抜きして製作する。プレフィルタ・ハウジング展開体１０の中央部には略正方形の中央本体部を有している。この中央本体部に中央開口１１が設けられている。
【００１５】
中央開口１１の四周にはプレフィルタ・エレメント２０（図２（ｂ））の周囲を支持するフランジ１２が設けられている。フランジ１２の外側にはプレフィルタ・エレメント２０の厚みより小さい幅をもった側壁部１３が設けられ、この側壁部１３の外側四周には、４個のフィルタ補強リブ１４ａ，１４ｂ，１４ｃ，１４ｄが設けられている。
【００１６】
フィルタ補強リブは、各側壁部１３の外側にたとえばミシン目を設けることにより、それぞれ折り返し可能に設けられている。前記側壁部１３のうち、図１の左右の側壁部１３ｃ，１３ｄは上下に延長部１３’を有している。この延長部１３’はプレフィルタ・ハウジングを組立てるとき、この延長部を側方に折り曲げ隣接する側壁部に挿入して重ね合せプレフィルタ・ハウジングをさらに補強するものである。前記延長部の高さはスペーサの役目をなし、フィルタ・エレメントがたとえば２５mmあるとすると、延長部は１５mm程度の高さをもち、プレフィルターを組立てたとき、この寸法差によってハウジングとフィルタ・エレメントとをよく密着させる効果を有している。
【００１７】
図１の上下のフィルタ補強リブ１４ａと１４ｂは同形で、フィルタエレメント２０（図２・ｂ）を通って濾過された空気が通る略半円形切欠凹部１５が設けられている。図１で上下のフィルタ補強リブ１４ａと１４ｂには、その先端両側部に組立時に使用する外向きのハウジング固定耳１６が設けられている。この固定耳１６に対応して、左右のフィルタ補強リブ１４ｃ及び１４ｄと、側壁部１３との境界部に差込み穴１６’が設けられている。
【００１８】
フィルタ・ハウジング展開体１０の両側部にある左右のフィルタ補強リブ１４ｃと１４ｄにはハウジング固定耳はない。これら補強リブ１４ｃ，１４ｄも上下のフィルタ補強リブ１４ａ，１４ｂと同様に略半円形の切欠凹部１５を有している。ただし図１で右側のフィルタ補強リブ１５ｄの切欠凹部１５は完全な半円でなく、図２（ｃ）に示すように、細幅の補強リブ１７が設けられている。この補強リブ１７はフィルタ補強リブ１４ｄをミシン目に沿って折返し、フィルタ・エレメント２０を包み込んだとき、その円形をした出口側開口の直径方向（図１の上下方向）に跨るプレフィルタ・ハウジングの補強部片となる。なお補強リブ１７を立てることにより、気流により受ける抵抗を極力小さくすることができる。
【００１９】
図２（ｃ）に示すように、フィルタハウジング展開体内にプレフィルタ・エレメント２０を包み込んで固定し、完成したならば、細長長方形のダンボールを円筒状に巻き込んだものか、あるいは円筒状プレス紙をその端で接着して構成した接続用紙筒３０を作成し、これをプレフィルタ出口側に接着３１してダクトホースへの接続する。
【００２０】
（可燃性プレフィルタ・ハウジングとフィルタエレメントを使用してプレフィルターを製作する手順）
プレフィルタの製作手順は、次の１〜４の工程で作成する。
（工程１）１枚のダンボールを型抜きしてプレフィルタ・ハウジング展開体１０をつくる。
（工程２）フィルタ・エレメント２０をプレフィルタ・ハウジング１０の中央に置き（周辺をフランジ１２の上に載置する）、しかるのちプレフィルタ・ハウジング展開体１０の側壁部１３をミシン目に沿って９０°折り込む。
（工程３）次にフィルタ補強リブ１４をミシン目に沿って図２・ｂの矢印の如く左右、上下の順に折り返し、補強リブ１７をミシン目に沿って折ってアングル状に立てる。このとき、延長部１３’を折り曲げ、隣接する側壁部１３の内側へ折り込んで一体にする。かくしてフィルタ・エレメント２０がプレフィルタ・ハウジング内にコンパクトに包み込まれたプレフィルタが完成する。
（工程４）次にダクトホース接続用紙筒３０を接着加工でフィルタ・ハウジングの排気側に接着して取付けると、排気ダクト（図５）に接続可能なプレフィルタが完成する。
【図面の簡単な説明】
【００２１】
【図１】可燃性プレフィルタ・ハウジング展開体の平面図。
【図２】プレフィルタ・ハウジングの組立手順説明図。
【図３】完成したプレフィルタ・ハウジングを吸入側よりみた斜視図。
【図４】接続用紙筒を取付けた状態の排気側斜視図。
【図５】プレフィルタ・ハウジングを紙筒を介し、ダクトホースに接続した状態を示す図。
【符号の説明】
【００２２】
10  プレフィルタ・ハウジング展開体  11  (プレフィルタ吸気側の)開口
12  フランジ                        13  側壁部
13'  （側壁の）延長部
14,14a,14b,14c,14d  フィルタ補強リブ
15  （フィルタ排気側開口を構成する）半円形切欠凹部
16  ハウジング固定耳                17  補強リブ
20  フィルタ・エレメント            30  （接続用）紙筒
31  接着部
【図１】
2006214851.tif 000003
【図２】
2006214851.tif 000004
【図３】
2006214851.tif 000005
【図４】
2006214851.tif 000006
【図５】
2006214851.tif 000007